(57)【特許請求の範囲】
【請求項１】
基地局信号を処理するワイヤレス通信システムの遠隔ユニットによって使用する方法であって、
基地局からのメッセージのロウデータサンプルを受信することと、
復号化されたデータサンプルを得るために前記ロウデータサンプルを復号化することと、
前記復号化されたデータサンプルが構文解析される前に前記復号化されたデータサンプルと基準パターンとを比較することと、
前記比較に基づいて前記メッセージの内容を決定することと、
基準パターンが記憶されないときに、前記メッセージを構文解析し、さらに前記メッセージの少なくとも一部を基準パターンとしてメモリ内に記憶することと、
前記メッセージがエンプティであれば、前記遠隔ユニットの動作のモードを変更することと
を具備し、
前記記憶することは、前記メッセージの予め定められたセクションを記憶することである方法。
【請求項２】
基地局信号を処理するワイヤレス通信システムの遠隔ユニットによって使用する方法であって、
基地局からのメッセージのロウデータサンプルを受信することと、
復号化されたデータサンプルを得るために前記ロウデータサンプルを復号化することと、
前記復号化されたデータサンプルが構文解析される前に前記復号化されたデータサンプルと基準パターンとを比較することと、
前記比較に基づいて前記メッセージの内容を決定することと、
基準パターンが記憶されないときに、前記メッセージを構文解析し、さらに前記メッセージの少なくとも一部を基準パターンとしてメモリ内に記憶することと、
前記メッセージがエンプティであるとき、前記遠隔ユニットをスリープモードに遷移することと
を具備し、
前記記憶することは、前記メッセージの予め定められたセクションを記憶することである方法。
【請求項３】
通信システムの使用のための遠隔ユニットであって、
ロウデータサンプルとしてページングメッセージを受信するように構成された受信器と、
前記ロウデータサンプルから復号化されたデータサンプルを得るように構成された復号器と、
基準パターンを記憶するように構成されたメモリと、
前記復号化されたデータサンプルと前記基準パターンを比較するように構成されたコンパレータと、
前記遠隔ユニットの動作を制御するように構成されたコントローラであって、前記ページングメッセージがエンプティであり、且つ記憶されたサンプルがメモリ内に存在しないとき、前記ページングメッセージを構文解析し、前記ページングメッセージの少なくとも一部を記憶するように構成されたコントローラと、
を具備し、
前記コントローラは、前記ページングメッセージの予め定められた部分を記憶するように更に構成され、前記遠隔ユニットは、前記コントローラがエンプティとして前記ページングメッセージの内容を認識すると、動作のモードを変更するように構成される遠隔ユニット。
【請求項４】
通信システムの使用のための遠隔ユニットであって、
ロウデータサンプルとしてページングメッセージを受信するように構成された受信器と、
前記ロウデータサンプルから復号化されたデータサンプルを得るように構成された復号器と、
基準パターンを記憶するように構成されたメモリと、
前記復号化されたデータサンプルと前記基準パターンを比較するように構成されたコンパレータと、
前記遠隔ユニットの動作を制御するように構成されたコントローラであって、前記ページングメッセージがエンプティであり、且つ記憶されたサンプルがメモリ内に存在しないとき、前記ページングメッセージを構文解析し、前記ページングメッセージの少なくとも一部を記憶するように構成されたコントローラと、
を具備し、
前記コントローラは、前記ページングメッセージの予め定められた部分を記憶するように更に構成され、前記遠隔ユニットは、前記コントローラがエンプティとして前記ページングメッセージの内容を認識すると、スリープモードに遷移するように構成される遠隔ユニット。
【請求項５】
マルチ基地局を有したワイヤレス通信システムの使用のための遠隔ユニットであって、前記基地局がインターリーブされた形態のページングメッセージを連続的に放送するように構成され、
ロウデータサンプルとしてページングメッセージを受信するように構成された受信器と、
前記受信器に結合され、前記ロウデータサンプルから復号化されたデータサンプルを得るように構成された復号器と、
基準パターンを記憶するように構成されたメモリと、
前記遠隔ユニットの動作を制御するように構成されたコントローラと、
前記復号化されたデータサンプルと前記基準パターンとを比較するように構成されたコンパレータと、を具備し、
前記コントローラは、メモリ内に基準サンプルが存在しないとき、前記ページングメッセージを構文解析し、前記ページングメッセージがエンプティであれば、前記ページングメッセージの少なくとも一部を記憶するように更に構成され、
前記コントローラは、前記ページングメッセージの予め定められたセクションを記憶するように更に構成され、前記遠隔ユニットは、前記コントローラがエンプティとして前記ページングメッセージの内容を認識すると動作のモードを変更するように構成される遠隔ユニット。
【請求項６】
マルチ基地局を有したワイヤレス通信システムの使用のための遠隔ユニットであって、前記基地局がインターリーブされた形態のページングメッセージを連続的に放送するように構成され、
ロウデータサンプルとしてページングメッセージを受信するように構成された受信器と、
前記受信器に結合され、前記ロウデータサンプルから復号化されたデータサンプルを得るように構成された復号器と、
基準パターンを記憶するように構成されたメモリと、
前記遠隔ユニットの動作を制御するように構成されたコントローラと、
前記復号化されたデータサンプルと前記基準パターンとを比較するように構成されたコンパレータと、を具備し、
前記コントローラは、メモリ内に基準サンプルが存在しないとき、前記ページングメッセージを構文解析し、前記ページングメッセージがエンプティであれば、前記ページングメッセージの少なくとも一部を記憶するように更に構成され、
前記コントローラは、前記ページングメッセージの予め定められたセクションを記憶するように更に構成され、前記遠隔ユニットは、前記コントローラがエンプティとして前記ページングメッセージの内容を認識すると、スリープモードに遷移するように構成される遠隔ユニット。
【請求項７】
通信システムの使用のための遠隔ユニットであって、
ロウデータサンプルとしてページングメッセージを受信する手段と、
復号化されたデータサンプルを得るために前記ロウデータサンプルを復号化する手段と、
基準パターンを記憶する手段と、
前記復号化されたデータサンプルと前記基準パターンとを比較する手段と、
前記遠隔ユニットの動作を制御する手段であって、前記ページングメッセージがエンプティであり、且つ記憶されたサンプルが前記記憶する手段に存在しないとき、前記ページングメッセージを構文解析し、前記ページングメッセージの少なくとも一部を記憶するように構成された手段と、
を具備し、
前記制御する手段は、前記ページングメッセージの予め定められたセクションを記憶するように更に構成され、前記遠隔ユニットは、前記制御する手段がエンプティとして前記ページングメッセージの内容を認識すると、動作のモードを変更するように構成される遠隔ユニット。
【請求項８】
通信システムの使用のための遠隔ユニットであって、
ロウデータサンプルとしてページングメッセージを受信する手段と、
復号化されたデータサンプルを得るために前記ロウデータサンプルを復号化する手段と、
基準パターンを記憶する手段と、
前記復号化されたデータサンプルと前記基準パターンとを比較する手段と、
前記遠隔ユニットの動作を制御する手段であって、前記ページングメッセージがエンプティであり、且つ記憶されたサンプルが前記記憶する手段に存在しないとき、前記ページングメッセージを構文解析し、前記ページングメッセージの少なくとも一部を記憶するように構成された手段と、
を具備し、
前記制御する手段は、前記ページングメッセージの予め定められたセクションを記憶するように更に構成され、前記遠隔ユニットは、前記制御する手段がエンプティとして前記ページングメッセージの内容を認識すると、スリープモードに遷移するように構成される遠隔ユニット。
【請求項９】
エンプティゼネラルページングメッセージを認識するワイヤレス通信システムの遠隔ユニットによって使用する方法であって、
基地局からのメッセージを受信することと、
前記メッセージが構文解析される前に前記メッセージと、基準パターンとを比較することと、
前記比較に基づいて、前記メッセージがエンプティゼネラルページングメッセージであるか否かを決定することと、
基準パターンが記憶されないときに、前記メッセージを構文解析して前記メッセージの少なくとも一部を記憶された基準パターンとしてメモリ内に記憶することと、
を具備し、
前記記憶することは、前記メッセージの予め定められたセクションを記憶することであり、前記基準パターンは、前記エンプティゼネラルページングメッセージに対応する方法。
【請求項１０】
エンプティゼネラルページングメッセージを認識するワイヤレス通信システムの遠隔ユニットによって使用する方法であって、
基地局からのメッセージを受信することと、
前記メッセージが構文解析される前に前記メッセージと基準パターンとを比較することと、
前記比較に基づいて、前記メッセージがエンプティゼネラルページングメッセージであるか否かを決定することと、
基準パターンが記憶されないときに、前記メッセージを構文解析して前記メッセージの少なくとも一部を記憶された基準パターンとしてメモリ内に記憶することと、
前記メッセージがエンプティゼネラルページングメッセージであれば前記遠隔ユニットの動作のモードを変更することと
を具備し、
前記記憶することは、前記メッセージの予め定められたセクションを記憶することである方法。
【請求項１１】
エンプティゼネラルページングメッセージを認識するワイヤレス通信システムの遠隔ユニットによって使用する方法であって、
基地局からのメッセージを受信することと、
前記メッセージが構文解析される前に前記メッセージと基準パターンとを比較することと、
前記比較に基づいて、前記メッセージがエンプティゼネラルページングメッセージであるか否かを決定することと、
基準パターンが記憶されないときに、前記メッセージを構文解析して前記メッセージの少なくとも一部を記憶された基準パターンとしてメモリ内に記憶することと、
前記メッセージがエンプティゼネラルページングメッセージであるとき、前記遠隔ユニットをスリープモードに遷移することと
を具備し、
前記記憶することは、前記メッセージの予め定められたセクションを記憶することである方法。
【発明の詳細な説明】
【０００１】
発明の分野
本発明はワイヤレス通信システムに関する。より詳細には、本発明は、ワイヤレス通信システムの遠隔ユニットによって受信されたエンプティゼネラルページングメッセージを動的に認識するものに関する。
【０００２】
発明の背景
ワイヤレス通信システムは、マルチ遠隔ユニットとマルチ基地局とを備えても良い。図１は、３つの遠隔ユニット１０Ａ、１０Ｂ及び１０Ｃと、２つの基地局とを有する地球上のワイヤレス通信システムの１つの実施の形態を典型的に示した図である。図１に於いて、上記３つの遠隔ユニットが、ワイヤレスローカルループまたはメータリーディングシステムにて見られるような車１０Ａ、ポータブルコンピュータ遠隔１０Ｂ、及び固定局ユニット１０Ｃに取付けられた移動可能な電話ユニットとして示される。遠隔ユニットは、通信ユニット等の何れのタイプでも良く、例えばハンドヘルドパーソナル通信システムユニット、パーソナルデータアシスタント等のポータブルデータユニット、またはメータリーディング装置等の固定局データユニットである。図１は、基地局１２から遠隔ユニット１０へのフォワードリンク１４と、前記遠隔ユニット１０から前記基地局１２へのリバースリンク１６を示している。
【０００３】
ワイヤレスチャネルを通じて、遠隔ユニットと基地局間の通信は、制限された周波数スペクトル内で多数のユーザを円滑にする種々の多元接続技術の１つを使用して達成することができる。これらの多元接続技術は、時分割多元接続（ＴＤＭＡ）、周波数分割多元接続（ＦＤＭＡ）、及びコード分割多元接続（ＣＤＭＡ）を含んでいる。ＣＤＭＡ用の工業規格は、以下に示され、ＴＩＡ／ＥＩＡ  Ｉｎｔｅｒｉｍ  Ｓｔａｎｄａｒｄ  ｅｎｔｉｔｌｅｄ  “Ｍｏｂｉｌｅ  Ｓｔａｔｉｏｎ  −  Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ”，ＴＩＡ／ＥＩＡ／ＩＳ−９５，及びその結果（ＩＳ−９５として総称される）、その内容はこれら全体に於いてここで参照されることによって具体化される。ＣＤＭＡ通信システムに関する付加的な情報は、ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮ  ＳＹＳＴＥＭ  ＵＳＩＮＧ  ＳＡＴＥＬＬＩＴＥ  ＯＲ  ＴＥＲＲＥＳＴＲＩＡＬ  ＲＥＰＥＡＴＥＲＳと題される米国特許第４，９０１，３０７に開示されており、（‘３０７特許）本発明の譲受人に譲り受けられ、参考文献によりここにその全体が組み込まれる。
【０００４】
‘３０７特許に於いて、多元接続技術は、大多数の移動可能な電話システムユーザの各々が無線電話機を有しており、ＣＤＭＡ拡散スペクトル通信信号を使用する基地局を介して通信される。前記ＣＤＭＡ変調技術は、ＴＤＭＡ及びＦＤＭＡ等のワイヤレス通信システムにて使用された他の変調技術を通じて多くの利益を提供する‘３０７特許に開示されている。例えば、ＣＤＭＡはマルチ時間を縮めるべく周波数スペクトルを認め、これによりシステムユーザキャパシティの増加を可能にする。加えて、ＣＤＭＡ技術のユーザは、その利益を利用している間もマルチパスの副作用、例えばフェージングの軽減に打ち勝つべく地球上のチャネルの特有の問題を認める。
【０００５】
ワイヤレス通信システムに於いて、信号は、基地局と遠隔ユニット間を伝搬するように幾つかの識別可能な伝搬パスを伝えても良い。前記ワイヤレスチャネルの特性によって発生されたマルチパス信号は、前記通信システムに対する課題を表している。マルチパスチャネルの１つの特性は、前記チャネルを介して送信される信号にて導かれた時間の広がりである。例えば、理想的なインパルスがマルチパスチャネルを通じて送信されると、受信された信号はパルスのストリームとして現れる。前記マルチパスチャネルの別の特性は、前記チャネルを介した各々のパスが異なった減衰定数を生じても良いことである。例えば、理想的なインパルスは、マルチパスチャネルを通じて送信されると、複数のパルスの受信されたストリームの各々のパルスが他の受信されたパルスより強い異なった信号を大抵有している。前記マルチパスチャネルの更に別の特性は、前記チャネルを介した各々のパスが前記信号の異なった位相を生じ得る。例えば、理想的なインパルスがマルチパスチャネルを通じて送信されると、パルスの受信されたストリームの各々のパルスは他の受信されたパルスと異なった位相を大抵有している。
【０００６】
前記ワイヤレスチャネルに於いて、前記マルチパスは、例えば、ビル、木々、車及び人々等の環境に於ける障害からの信号の反射によって作り出される。したがって、前記ワイヤレスチャネルは、マルチパスを作り出す構造の相対的な動きに払われるべく一般に時間変化するマルチパスチャネルである。例えば、理想的なインパルスが時間変化するマルチパスチャネルを通じて送信されると、受信されたパルスのストリームは、前記理想的なインパルスが送信された時間の要因として、時間遅延、減衰及び位相を変化させる。
【０００７】
チャネルのマルチパス特性は、前記遠隔ユニットによって受信された信号に影響を及ぼし得ると共に、他のものに混ざって、信号のフェージングという結果になる。フェージングは、マルチチャネルの位相特性の結果として生じるものである。フェードは、マルチパスベクトルが有害に付加したときに生じ、形を変えられる受信された信号は個々の何れのベクトルよりも小さい振幅である。例えば、サイン波は２つのパスを有するマルチパスチャネルを介して送信されるもので、ここで第１のパスはＸｄＢの減衰定数、Θラジアンの移相を有するδの時間遅延を有し、第２のパスはＸｄＢの減衰定数、Θ＋πラジアン移相を有するδの時間遅延を有し、無信号は、等しい振幅及び反対位相、互いに相殺される、２つの信号によって、チャネルの出力で受信される。故に、フェージングはワイヤレス通信システムの能力の厳しい負の効果である。
【０００８】
ＣＤＭＡ通信システムは、マルチパス環境の動作のために最適化される。例えば、フォワードリンク及びリバースリンク信号は、高周波数疑似雑音（ＰＮ）シーケンスを伴って変調される。前記ＰＮ変調は、“レイク”受信器設計の使用を介して別々に受信されるべく同じ信号の多くの異なったマルチパスの例を許容する。レイク受信器に於いて、復調エレメントのセット内の各々のエレメントは、信号の個々のマルチパスの例に割り当てることができる。前記復調エレメントの復調出力は、結合された信号を発生するために結合される。故に、マルチパス信号の例の全ては、前記結合された信号が深いフェードに直面する前に一緒に減衰しなければならない。
【０００９】
ＣＤＭＡ、ＩＳ−９５用の工業規格に基づいた通信システムに於いて、マルチ基地局の各々は、共通のＰＮシーケンスを有するパイロット信号を送信する。各基地局は、前記信号が遠隔ユニットで互いに区別することができるので、隣接する基地局から時間を合わせてオフセットする前記パイロット信号を送信する。何れかの与えられた時間で、前記遠隔ユニットは、マルチ基地局からパイロット信号の変化を受信し得る。ローカルＰＮジェネレータにより生成された前記ＰＮシーケンスのコピーを使用して、全体のＰＮスペースは前記遠隔ユニットによって検索することができる。検索の結果を使用して、前記遠隔ユニットのコントローラは、オフセットの時間に基づいてマルチベースからのパイロット信号を区別する。
【００１０】
前記コントローラは、有効なマルチパス信号例に復調エレメントを割り当てるために使用される。検索エンジンは、受信された信号のマルチパスコンポーネンツに関係するコントローラにデータを提供するために使用される。前記検索エンジンは、着信時間と、前記基地局によって送信されたパイロット信号の前記マルチパスコンポーネンツの振幅を計測する。共通の基地局によって送信された前記データ信号及び前記パイロット信号上のマルチパス環境の影響は、同時に同じチャネルを介して進む信号によって非常に類似したものである。それ故、前記パイロット信号のマルチパス環境の影響を決定することは、前記データチャネルマルチパス信号例に復調エレメントを割り当てるために前記コントローラを認める。
【００１１】
前記検索エンジンは、ポテンシャルＰＮオフセットのシーケンスを介して検索することにより、且つ、前記ポテンシャルＰＮオフセットの各々で受信された前記パイロット信号のエネルギーを計測することによって、前記遠隔ユニットの付近の基地局の前記パイロット信号の前記マルチパスコンポーネンツを決定する。前記コントローラは、ポテンシャルオフセットに関係のあるエネルギーを判断し、且つ、スレッショルドを超えたならば、そのオフセットに信号復調エレメントを割り当てる。検索者エネルギーレベルに基づいた復調エレメント割り当てのための方法及び装置が、本発明の譲受人に譲り受けられた、ＤＥＭＯＤＵＬＡＴＩＯＮ  ＥＬＥＭＥＮＴ  ＡＳＳＩＧＮＭＥＮＴ  ＩＮ  Ａ  ＳＹＳＴＥＭ  ＣＡＰＡＢＬＥ  ＯＦ  ＲＥＣＥＩＶＩＮＧ  ＭＵＬＴＩＯＬＥ  ＳＩＧＮＡＬＳと題された米国特許第５，４９０，１６５（‘１６５特許）に開示されている。
【００１２】
図２は遠隔ユニットで着信する基地局からの単一のパイロット信号のマルチパス信号例の典型的な例のセットを示している。垂直軸は、受信されたパワーをデシベル（ｄＢ）で表している。水平軸は、マルチパス遅延に払われるべく信号例の着信時間の遅延を表している。そのページの軸（図示せず）は、時間をセグメントで表している。前記ページの共通面内の各信号スパイクは、異なった時間で前記基地局によって送信されているが、共通の時間で前記遠隔ユニットで着信された。各信号スパイク２２〜２７は異なったパスで進み、それ故、異なった時間遅延、異なった振幅、そして異なった位相反応を示している。６つの異なった信号スパイク２２〜２７は、厳しいマルチパス環境の代表値である。通常の都市の環境は、少数の人々の有効なパスを生成する。前記システムのノイズフロアは低いエネルギーレベルを有するディップ及びピークによって表される。前記検索エンジンのタスクは、水平軸で計測されるように遅延を識別するためのもの、及び、垂直軸で計測されるようにポテンシャル復調エレメント割当てのための信号スパイク２２〜２７の振幅である。
【００１３】
図２に示されるように、前記マルチパスピークの各々は、各マルチパスピークの一様でないリッジにより示されるように、時間の関数としての振幅が異なる。示された一定時間に於いて、それらは前記マルチパスピークの重要な変化ではない。更なる延長された時間範囲に渡り、マルチパスピークは消滅して新しいパスが時間が進行するにつれ作り出される。マルチパスピークは、時間が経つとワイドピークにぼやけさせるか、または合同するために適当なものである。
【００１４】
代表的に、検索エンジンの動作は、コントローラによって監視される。前記コントローラは、検索ウィンドウと称される、オフセットのセットを介して進むために前記検索エンジンを命令し、復調エレメントに割り当てるための適切な１つ以上のマルチパス信号ピークを含むために適当なものである。各オフセットのため、前記コントローラにオフセットバックを見い出すエネルギーを前記検索エンジンは報告する。復調エレメントは、前記検索エンジンによって確認されたパスに、前記コントローラによって割り当てることができる（すなわち、これらのＰＮジェネレータの基準時間は、確認されたパスのタイミングで位置合わせされる）。一旦、復調エレメントが前記信号にロックされると、前記復調エレメントが前記コントローラによって別のパスに割り当てられるまで、または前記パスが少しずつ消えてゆくまで、コントローラの監視が無くそのパスを追跡している。
【００１５】
前述したように、与えられた地理的範囲内の各基地局は、共通のパイロットシーケンスのシーケンスオフセットが割り当てられる。例えば、ＩＳ−９５に従って、２15チップ（すなわち、ＰＮシーケンスに於ける１ビット）を有すると共に２６．６６ミリ秒（ｍｓ）毎に繰り返されるＰＮシーケンスは、パイロット信号のように５１２ＰＮシーケンスオフセットの１つでシステムに於いて各基地局によって送信される。ＩＳ−９５動作に従って、前記基地局は、例えば、基地局タイミングに対する遠隔ユニットタイミングの同期化及び遠隔ユニットが動作されるマルチパス環境を決定するような他の機能と同様に基地局を識別するために前記遠隔ユニットにより使用することができる前記パイロット信号を連続的に送信する。
【００１６】
最初のパワーオン、または何れか他の状況の間に、前記遠隔ユニットは、異なった動作周波数にこのようなハンドオフを実行するときのようなパイロット信号を失うと、遠隔ユニットが前記パイロットＰＮシーケンスの全て可能なＰＮオフセットを評価する。代表的に、検索エンジンは、対応するオフセットで表されるパイロット信号の正確な計測を作り出すその計測比で進め、全ての可能なＰＮオフセットでのパイロット信号強度を計測する。この方法の手順で、前記検索エンジンは前記遠隔ユニットに地理的に近い基地局のＰＮオフセットを決定する。この方法に於ける各ＰＮオフセットの検索は、取得する間チャネル状態に依存して１００ミリ秒から数秒は、得ることができる。パイロット信号を再び取得するために前記遠隔ユニットのためのこの時間は、遠隔ユニット動作に不利なものであり、前記遠隔ユニットのユーザに面倒なものとなる。
【００１７】
図３は、水平軸上のＰＮスペースの延長した部分を示している。ピーク３０、３２、３４の３つのグループは、３つの異なった基地局からの通信を表している。図示されるように、各基地局信号からの信号は、異なったマルチパス環境を経験する。また、各基地局は、ＰＮ基準３６からの異なったＰＮオフセットを有している。故に、前記コントローラは、識別された基地局の何れかの検索ウィンドウに対応するＰＮオフセットのセットを選択しても良い。これは、適当に復調エレメントを割り当てることによって、多数の基地局からの信号を同時に復調するために前記遠隔ユニットを許可する。
【００１８】
代表的なＣＤＭＡ通信システムに於いて、遠隔ユニットは、基地局を有した二方向通信を散発的に高める。例えば、携帯電話機は、プロセスに於いてコールがないとき、重要な時間帯のためのアイドルを残す。しかしながら、遠隔ユニットに直接何れかのメッセージが受信されたことを確実にするために、前記遠隔ユニットは、アイドルが一様な時間、通信チャネルを連続的にモニタする。例えば、アイドル期間、前記遠隔ユニットは、前記基地局からかかってきた電話を検出するために、フォワードリンクチャネルをモニタする。このようなアイドル期間、前記遠隔ユニットは、前記基地局からの信号をモニタするために必要なエレメントを支持するためのパワーを消費するために継続する。多くの遠隔ユニットが持ち運び可能であり、且つ、内部バッテリによって動作される。例えば、パーソナル通信システム（ＰＣＳ）ハンドセットは、大抵独占的に電池式である。アイドルモードに於ける前記遠隔ユニットによるバッテリリソースの消費は、コールが認められるかまたは受信されたとき、前記遠隔ユニットに有効なバッテリリソースは減少する。それ故、それがアイドル状態に於いて遠隔ユニットのパワーの消費を最小限にするために望ましいものであり、これによりバッテリの寿命が延びる。
【００１９】
通信システムの遠隔ユニットパワー消費を低減させる１つの手段は、本発明の譲受人に譲り受けられ、ＡＰＰＡＲＡＴＵＳ  ＡＮＤ  ＭＥＴＨＯＤ  ＦＯＲ  ＲＥＤＵＣＩＮＧ  ＰＯＷＥＲ  ＣＯＮＳＵＭＰＴＩＯＮ  ＩＮ  Ａ  ＭＯＢＩＬＥ  ＣＯＭＭＵＮＩＣＡＴＩＯＮ  ＲＥＣＥＩＶＥＲと題された、米国特許第５，３９２，２８７（‘２８７特許）に開示されており、参考文献によりここにその全体が組み込まれる。‘２８７特許に於いて、アイドルモード（すなわち、遠隔ユニットが、基地局を有した二方向通信に於いて話し中でない）に於いて動作する遠隔ユニットのパワー消費を低減するための技術が開示されている。アイドルに於いて、各遠隔ユニットは、準備する間の“動作”状態に定期的に入り、且つ、フォワードリンク通信チャネルのメッセージを受信する。連続的な動作状態の間の期間に於いて、前記遠隔ユニットは“非動作”状態に入る。前記遠隔ユニットの非動作状態の間、前記動作状態にて前記システムの他の遠隔ユニットにメッセージを送ることはできても、前記基地局はその遠隔ユニットに何れのメッセージも送れない。
【００２０】
‘２８７特許に開示されるように、基地局は、“ページングチャネル”の基地局対象地域内の全ての遠隔ユニットによって受信されるメッセージを放送する。前記基地局対象地域内の全てのアイドル遠隔ユニットは、前記ページングチャネルをモニタする。前記ページングチャネルは、“スロット”の連続的なストリーム中の時間領域に分割される。スロットモードにて動作する各遠隔ユニットは、割り当てられたスロットとしてそれに割り当てられた特定のスロットのみモニタする。前記ページングは、番号付けられたスロット内のメッセージを連続的に送信し、例えば、６４０スロット毎に等のスロットシーケンスを繰り返す。遠隔ユニットが基地局の対象地域に入ったとき、または遠隔ユニットが最初にパワーオンされると、好ましい基地局にその居場所を通信する。代表的に、前記好ましい基地局は、前記遠隔ユニットによって計測されたように最も強いパイロット信号を有する基地局である。
【００２１】
複数の地理的に近くに隣接する基地局と共に好ましい基地局は、モニタするために前記遠隔ユニット用の、それぞれのページングチャネル内の１つのスロットまたは複数のスロットを割り当てる。前記基地局は、必要であれば、遠隔ユニットに制御情報を送信するために、前記ページングチャネルのスロットを使用する。前記遠隔ユニットは、前記時間領域に於いて、基地局スロットタイミングに合わせるために前記遠隔ユニットを許可する前記好ましい基地局からのタイミング信号をもモニタしても良い。前記好ましい基地局スロットタイミングに前記時間領域にて合わせることによって、前記遠隔ユニットはページングチャネルスロットシーケンスが開始するとき決定することができる。故に、前記ページングチャネルスロットシーケンスの開始を知ると、そのスロットはモニタするためにそれ用に割り当てられ、スロットの反復的なページングチャネルシーケンスに於けるスロットの総数、及び各スロットの期間、前記遠隔ユニットはその割り当てられたスロットが生じると決定することが可能となる。
【００２２】
一般的に、前記基地局は前記遠隔ユニットの割り当てられたセット内ではないスロットのページングチャネルに送信される間、非動作状態に於けるものである。前記非動作状態の間、前記遠隔ユニットは、前記基地局によって送信されたタイミング信号をモニタせず、内部クロックソースを使用してスロットタイミングを維持する。したがって、前記非動作状態に於いて、前記遠隔ユニットは、例えば、前記検索エンジンを含むワイヤレスチャネルに於いて変化を検出するために基地局によって送信されたパイロット信号をモニタする回路構成等の選択された回路構成からパワーを除去しても良い。その内部のタイミングを使用して、前記遠隔ユニットは、割り当てられたスロットの次の出来事より前の短い時間帯、その動作状態に移行する。
【００２３】
動作状態に移行するとき、前記遠隔ユニットは前記検索エンジンを含むワイヤレスチャネルをモニタする回路構成にパワーを供給する。前記検索エンジンは、前記好ましい基地局のパイロット信号を再び得るため、及び前記基地局の対象地域内で目標物の移動、または遠隔ユニットの移動に払われるべく発生したワイヤレスチャネルの変化を検出するために使用される。前記パイロット信号を再び得るために、加えて、前記遠隔ユニットは、その割り当てられたスロットの開始でのメッセージを受信することの準備に於いて何れか他の行動または初期化を実行しても良い。
【００２４】
前記遠隔ユニットが動作状態に入るとき、前記ページングチャネルに於いて割り当てられたスロットのメッセージを受信すると共に、前記基地局からのコマンドに応答しても良い。例えば、前記遠隔ユニットは、かかってきた電話に応答する次のボイス通信を導くための二方向通信リンクを高めるため、“トラフィック”チャネルを作動させるために命令することができる。前記基地局からのメッセージがない、または動作のままであるために前記遠隔ユニットを要求するコマンドがない場合、割り当てられたスロットのエンドで、前記遠隔ユニットは非動作状態に戻る。加えて、前記遠隔ユニットは、例えばスリープコマンドの形態に於いて前記基地局によってコマンドされると、直ちに前記非動作状態に戻る。
【００２５】
その割り当てられたスロットの間、前記遠隔ユニットの検索エンジンは、隣接する基地局のパイロット信号の強度と同様に好ましい基地局のパイロット信号強度を計測する。前記遠隔ユニットが、１つの基地局の対象地域から別の隣接する基地局の対象地域に再移動すると、前記遠隔ユニットは前記隣接する基地局に“ハンドオフ”を必要とする。隣接する基地局の送信されたパイロット信号強度が前記好ましい基地局よりも十分に強くなると、ハンドオフが生じる。これが生じたとき、隣接する基地局は好ましい基地局として割り当てられる。次の動作状態に於いて、続くハンドオフは、前記遠隔ユニットが、メッセージ及びコマンドを受信するために新たな好ましい基地局のページングチャネルをモニタする。
【００２６】
ハンドオフが生じたときに決定するためのデータを提供することに加えて、好ましい基地局のパイロット信号の検索は、マルチパス環境の変化のための補償を調整するために前記遠隔ユニットを許可する。例えば、前記マルチパス信号例の１つが使用できないポイントまで衰弱すると、前記遠隔ユニットは適宜復調エレメントを再割当てしても良い。
【００２７】
基地局の隣接するセットと同様に好ましい基地局の公称のＰＮオフセットを知って、前記コントローラは、検出されるべく有望なパイロット信号のマルチパス信号例でのＰＮオフセットを明記する検索エンジンに検索パラメータのセットを代表的にパスさせる。前記検索の終了で、前記検索エンジンは前記コントローラに検索結果を渡す。前記コントローラは、検索結果を分析して次の検索のために検索パラメータのセットを検索する。新たな検索パラメータの以下の選択で、前記コントローラは前記検索エンジンにパラメータを渡し、検索プロセスは繰り返される。このプロセスは、再度遠隔ユニットが非動作、アイドル状態に入るまで、繰り返される。
【００２８】
割り当てられたスロットの間に、前記基地局は、他のメッセージタイプと同様にゼネラルページングメッセージを送る。全てのメッセージがスロッテッドモードにて動作する遠隔ユニットに指向されたか否か、現在のスロットの動作がこのゼネラルページングメッセージのエンドによって送られたか否か、全ての放送メッセージが現在のゼネラルページングメッセージのエンドによって送られたか、遠隔ユニットのクラスがアドレスされ、サービスオプションリクエストが特定の遠隔ユニットに指向され、及び例えばＩＳ−９５に詳述されたそれらのような他のメッセージ、等の情報を前記ゼネラルページングメッセージが伝える。
【００２９】
遠隔ユニット特定でないか、または放送メッセージが割り当てられたスロット時間のために有効であるとき、前記基地局はエンプティゼネラルページングメッセージを送る。前記エンプティゼネラルページングメッセージに応答して、前記遠隔ユニットは非動作状態に容易に戻る。
【００３０】
図４は、ゼネラルページングメッセージを受信するために使用される遠隔ユニットの一部を示したブロック図である。受信器４０は、ゼネラルページングメッセージを含むワイヤレスリンク信号を受信する。前記受信器４０は、前記ワイヤレスリンク信号の応答とダウンコンバージョンを提供すると共に、他の復調機能と同様にＣＤＭＡ環境に於ける逆拡散をも提供する。前記受信器４０は、その出力で一連のデジタルビット値を提供する。
【００３１】
ＩＳ−９５等の周知のワイヤレスリンクプロトコルに従って、データが前記ワイヤレスリンクを通じて送信される前に、それは一連のブロックに分割される。前記ブロックは、ブロックオーダが前記ワイヤレスリンク期間を通じて送信されるようなノンタイムシーケンシャルである。前記ブロックを送信するこの方法はインターリービングと称され、前記ブロックを再オーダするプロセスはデインターリービングと称される。インターリービングのヘルプは、ブロックのタイムシーケンシャルセットがフェードの間失われ、確率を減少させることによってワイヤレスチャネル上のフェージングの有害な影響を軽減する。代わりに、一連のブロックはフェードに払われるべく失われると、それらはデインターリービングプロセス後のノンタイムシーケンシャルであり、故にデコーディングプロセスによってより容易に訂正される。デインターリーバ４２は、デインターリービング機能を実行する。前記デインターリーバ４２は受信器４０からのサンプルを受信して一連のブロックデータを蓄積する。全体のブロックのセットが受信されたとき、デインターリーバ４２はタイムシーケンシャルオーダで前記ブロックを再オーダして復号器４４にそれを出力する。
【００３２】
前記復号器４４は、比が１／２（Ｒ＝１／２）で９の制約長（Ｋ＝９）で動作する畳み込み復号器とすることができる。畳み込み復号器の１つの共通の形態は、ビルタービ（Ｖｉｒｔｅｒｂｉ）復号器である。ビルタービ（Ｖｉｒｔｅｒｂｉ）復号器は、ソフト判定データを作り出す。全体のデータのグループは、前記復号器がソフト判定出力を与える前に、前記復号器に与えなければならない。
【００３３】
一般に、ゼネラルページングメッセージは、幾つかの復号器データのグループから構成される。復号器バッファが十分なデータを含んでいるとき、前記データはメッセージ解析器４６に渡される。前記メッセージ解析器４６は、前記メッセージのビットのコレクション等の機能を実行し、巡回冗長コード（ＣＲＣ）または他のエラーチェッキングコードの何れかを計算して検証し、内部フォーマット中のメッセージを変換し、バッファに前記変換したメッセージを複写し、且つ特有のプロトコルタスクのキュー上の変換されたメッセージの配置を実行する。前記メッセージは、フィールドずつ評価される。一般に、復号器４４のプロセスとメッセージ解析器４６は、コントローラ４８によって制御される。
【００３４】
前記遠隔ユニットが非動作状態に入ると、決定する前にゼネラルページングメッセージを構文解析するために前記遠隔ユニットによって要求された時間を最小限にすることが、技術上必要なものである。メッセージ解析器によって実行されたプロセスは大規模であり、重要な時間が要求される。前記メッセージ解析器がゼネラルページングメッセージから解放されるまで、前記遠隔ユニットは動作に残る。それは、前記遠隔ユニットが非動作状態に戻るエンプティゼネラルページングメッセージの応答、または前記基地局からのスリープコマンドの応答した後に限ったものである。
【００３５】
一般に、前記ゼネラルページングメッセージは、デインターリーブされたデータのブロックの幾つかのセットを通じて測る。故に、全体のゼネラルページングメッセージを処理するために、前記メッセージ解析器は、前記ブロックの全てを受信したゼネラルページングメッセージを構成するまで待機しなければならない。これまでは、この理由のため、復号器が動作する速度を上昇させることによって小さな利益が得られた。更に、前記復号器が高周波数で動作されたならば、メッセージパーシングタスクは実行されるべくマルチデインターリービングプロセスのために待機しなければならない。故に、前記復号器動作での比を上昇させることは、復号器の出力がメッセージ処理手続を開始する前に緩衝化されたデータを、時間が単に速くなって動作させる。
【００３６】
発明の適用
本発明は、ワイヤレス通信システムのエンプティゼネラルページングメッセージを認識するための方法及び装置に指向される。本発明の目的に於いて、本発明は、遠隔ユニットの平均パワー消費を低減するために使用することができる。スロッテッドモード通信システムに於いて、遠隔ユニットは動作と非動作状態の間で交互のものとなる。前記遠隔ユニットが動作状態にあるときは、前記ワイヤレスチャネルをモニタして基地局からのメッセージを受信する。その動作状態の終了で、前記基地局によりコマンドされるか、その割り当てられたスロットのエンドに達するかの何れかで、前記遠隔ユニットは非動作状態に入る。非動作状態の期間、前記遠隔ユニットは、選択された回路構成等、例えばワイヤレスチャネルをモニタするために使用された回路構成から、パワーを取り除くことによってパワー消費を低減する。
【００３７】
本発明の１つの目的に従った遠隔ユニットによる基地局信号を処理する方法は、基地局からのメッセージのロウデータサンプルを受信し、復号化されたデータサンプルを得るために前記ロウデータサンプルを復号化し、前記復号化されたデータサンプルが構文解析される前に、前記復号化されたデータサンプルと記憶された基準サンプルを比較し、前記メッセージの内容を前記比較に基づいて決定することを含む。
【００３８】
本発明の別の目的に於いて、前記メッセージはインターリーブされた形態で受信することができ、且つ受信された後にデインターリーブすることができる。
【００３９】
本発明の更なる目的に於いて、前記方法は、前記決定することが、前記メッセージがエンプティであると決定したときに前記遠隔ユニットをスリープモードに移行することを更に備える。
【００４０】
本発明の別の目的に於いて、遠隔ユニットは、ロウデータサンプルとしてページングメッセージを受信するために設定された受信器と、前記ロウデータサンプルから復号化されたデータサンプルを得るために設定された復号器と、データサンプルを記憶するために設定されたメモリと、前記ページングメッセージの内容を決定するために、前記復号化されたデータサンプルと前記メモリ内の前記データサンプルとを比較するために設定されたコンパレータと、を含む。
【００４１】
本発明の更にもう１つの目的に於いて、前記受信器は、インターリーブされた形態の前記ページングメッセージを受信するために設定することができ、且つ前記ページングメッセージをデインターリーブするために設定することができる。
【００４２】
本発明の更なる目的に於いて、前記遠隔ユニットは、記憶されない基準サンプルがメモリ内に存在するとき、前記ページングメッセージを構文分析しても良く、且つ、前記ページングメッセージがエンプティであれば前記ページングメッセージの少なくとも一部を記憶しても良い。
【００４３】
発明の詳細な説明
図５は、エンプティゼネラルページングメッセージの早期検出を許可する遠隔ユニットのブロック図である。受信器１００は、ページングチャネルメッセージを含むワイヤレスリンク信号を受信する。前記受信器１００は、前記ワイヤレスリンク信号の応答及びダウンコンバージョンを提供すると共に、他の復調機能と同様に、ＣＤＭＡ環境に於ける逆拡散をも提供する。前記受信器１００は、その出力デジタルで一連のデジタル値を提供する。
【００４４】
ＩＳ−９５等の周知のワイヤレスリンクプロトコルに従って、データが前記ワイヤレスリンクを通じて送信される前に、一連のブロックに分割される。前記ブロックオーダが前記ワイヤレスリンクを通じて送信されたようにノンタイムシーケンシャルであるような時間で前記ブロックは再オーダされる。ブロックを送信する方法はインターリービングと称され、前記ブロックを再オーダするプロセスはデインターリービングと称される。デインターリーバ１０２は、デインターリービング機能を実行する。前記デインターリーバ１０２は前記受信器１００からサンプルを受信して一連のブロックデータを計算する。一連のブロック全体が受信されたとき、前記デインターリーバ１０２はタイムシーケンシャルオーダにて前記ブロックを再オーダし、復号器１０４にそれらを出力する。
【００４５】
一実施の形態に於いて、前記復号器１０４は畳み込み復号器である。畳み込み復号器の１つの共通の形態は、ビルタービ（Ｖｉｒｔｅｒｂｉ）復号器である。ビルタービ（Ｖｉｒｔｅｒｂｉ）復号器は、データのグループに基づいてソフト判定データを作り出す。
【００４６】
復号器バッファが十分なデータを含むとき、前記データはメッセージ解析器１０６に渡される。前記メッセージ解析器１０６は前記メッセージ内のビットのコレクション等の機能を実行し、巡回冗長コード（ＣＲＣ）または他のエラーチェッキングコードの何れかを計算して検証し、内部フォーマット中のメッセージの変換、バッファに前記変換したメッセージを複写し、且つ特有のプロトコルタスクのキュー上の変換されたメッセージの配置を実行する。前記メッセージは、フィールドずつ評価される。一般に、復号器１０４のプロセスとメッセージ解析器１０６は、コントローラ１０８によって制御される。
【００４７】
前記コントローラ１０８は、例えばＲＡＭ、またはアプリケーションスペシフィックインテグレイテッドサーキット（Ａｐｐｌｉｃａｔｉｏｎ  Ｓｐｅｃｉｆｉｃ  Ｉｎｔｅｇｒａｔｅｄ  Ｃｉｒｃｕｉｔ）（ＡＳＩＣ）或いは他の適切な電子記憶装置等のメモリに記憶された検索リスト１２０とも関連しているものである。加えて、コントローラ１０８は検索エンジン１１８に検索パラメータを渡すように検索エンジン１１８と関連している。前記検索エンジン１１８は、データ配列１２２に検索結果を記憶するようにデータ配列１２２と関連したものである。前記コントローラ１０８はまた、前記データ配列１２２と関連しており、これにより、記憶された前記検索結果にアクセスする前記コントローラ１０８を提供する。一実施の形態に於いて、前記コントローラ１８８はマイクロプロセッサである。前記コントローラ１０８は、ＡＳＩＣ、フィールドプログラマブルゲート配列（Ｆｉｅｌｄ  Ｐｒｏｇｒａｍｍａｂｌｅ  Ｇａｔｅ  Ａｒｒａｙ）（ＦＰＧＡ）、分離したロジック、アナログ回路構成、或いは他の制御回路構成でも良い。前記コントローラ１０８及び検索エンジン１１８は、共に同じＡＳＩＣで組み立てることができる。加えて、前記検索リスト１２０及びデータ配列１２２は、同じ或いは異なったＡＳＩＣも含むことができる。前記遠隔ユニットに於けるハードウエアの構造は、ファームウエアを介して制御することができ、新たなファームウエアをダウンロードすることによって遠隔ユニットのフィールドアップグレードを許可する。
【００４８】
一般に、前記遠隔ユニットの動作は、前記コントローラ１０８を実行するソフトウエア及びハードウエアの設定によって制御される。前記ハードウエアの構造は、ファームウエア、ソフトウエア、配線の分離したデバイス、或いはそれら何れかの組合わせたものによって設けることができる。
【００４９】
復号器１０４の出力は、コンパレータ１１０に提供される。前記コンパレータ１１０は、前記復号器１０４の出力と、メモリ１１２内に記憶された基準パターンとを比較する。前記コンパレータ１１０によって実行されたパターン相関プロセスは、相関が決定される以前でさえ、または前記パターン相関プロセスが開始された以前、全体のプロセスのインターリービング及び応答のために待機する必要はない。例えば、前記コントローラ１０８は、コンパレータ１１０の出力に基づいても良く、受信されたサンプルはメッセージの内容の決定を作成することが可能な記憶された基準パターンと十分に同等であることを決定する。前記内容の決定が、前記メッセージがエンプティゼネラルページングメッセージであることを明らかにすると、前記遠隔ユニットは非動作状態に移行することができる。重要なゲインは、高い比で復号器１０４を実行させることによって達成することができる。第１のデータのセットがデインターリーバ１０２から利用可能になるやいなや、前記復号器１０４は前記データを復号化することができ、前記パターン相関プロセスを開始することができる。
【００５０】
前記コンパレータ１１０は、例えば、アプリケーションスペシフィックインテグレイテッドサーキット（Ａｐｐｌｉｃａｔｉｏｎ  Ｓｐｅｃｉｆｉｃ  Ｉｎｔｅｇｒａｔｅｄ  Ｃｉｒｃｕｉｔ）（ＡＳＩＣ）或いはＡＳＩＣの一部、またはフィールドプログラマブルゲート配列（Ｆｉｅｌｄ  Ｐｒｏｇｒａｍｍａｂｌｅ  Ｇａｔｅ  Ａｒｒａｙ）（ＦＰＧＡ）、若しくは分離したロジックエレメントの配列の形態でハードウエアを経て実施することができる。前記ハードウエアは、前記復号器１０４からの一連のデータビットがメモリ１１２に記憶された一連のデータビットと比較（例えば、イクスクルーシブＯＲまたはＡＮＤ）することができる。二者択一的に、コンパレータ１１０は、例えば、コントローラによってソフトウエアまたはファームウエアの実行を介して実施することができる。メモリ１１２に記憶されたエンプティゼネラルページングメッセージ（または以下に述べるような、このようなメッセージの一部またはテンプレート）に対応する基準パターンは、前記コンパレータ１１０によって復号器出力バッファの内容と直接に比較される。
【００５１】
図６以下により詳細に述べられるように、前記メモリ１１２は、基準パターンに対応する前記復号器出力値を含む。前記基準パターンは、遠隔ユニットまたはこのようなメッセージの一部或いはテンプレートにより予め受信されたエンプティページングメッセージとすることができ、その非動作状態に入るために前記遠隔ユニット用のコマンドを認識することに於いて使用するための前記基地局によってパターンを送る。前記復号器出力が前記メモリ１１２に記憶された基準パターンと対応したならば、前記コンパレータ１１０がコントローラ１０８に警告する。このような警告を受けると、前記メモリ１１２に記憶された前記基準パターンに対応して前記メッセージが受信されることによって、コントローラ１０８は直ちに非動作時状態に入ることができる。故に、受信されたゼネラルページングメッセージは、前記遠隔ユニットの情報なしを含むエンプティゼネラルページングメッセージか、その非動作状態に入るために前記遠隔ユニットを命令するメッセージの何れかである。一致した後に、前記遠隔ユニットは、それを意図するための何れかのメッセージが不足することなくその非動作状態に入っても良い。
【００５２】
図６は、図５に示された遠隔ユニットにより実行することのできるエンプティゼネラルページングメッセージの検出のためのプロセスまたは方法を説明するフローチャートである。前記プロセスは、前述したような、ソフトウエア、ファームウエア或いはハードウエア、若しくは同じものの組合わせの制御の下に実施することができる。
【００５３】
ブロック１２０に於いて、前記遠隔ユニットは割り当てられたタイムスロットの開始、例えば受信器１００を使用することで、サンプルを受信する。ブロック１２２に於いて、受信されたサンプルはデインターリーブされる。ブロック１２４に於いて、デインターリーブされたサンプルは、例えば、復号器１０４を使用して復号化される。ブロック１２６に於いて、例えば、コントローラ１０８は、現在の好ましい基地局のために予め受信されたエンプティゼネラルページングメッセージに対応する基準パターンが、例えばメモリ１１２に記憶されたか否かを決定する。
【００５４】
このような基準パターンが記憶されなければ、ブロック１２８に於いて、前記メッセージに見出された有効な及び何れかの指示が実行されるとき、前記メッセージは構文解析される。ブロック１３０に於いて、前記メッセージはエンプティゼネラルページングメッセージであったか否かが決定される。そうであれば、ブロック１３２に於いて、受信された復号化されたサンプルは、例えばメモリ１１２に記憶される。二者択一的に、ゼネラルページングメッセージの一部のみ、または復号化されたサンプルの全ての何れかが記憶することができる。例えば、前記からのゼネラルページングメッセージの選択されたフィールド、または予備選択されたビットの数は次の比較のために記憶することができ、前記ビットの数は前記メッセージが本当にエンプティであることが十分な信用を提供するために選択される。ここで、ブロック１３４に於いて前記遠隔ユニットは、次の割り当てられたスロットの開始を待つためにスリープに進む。
【００５５】
一実施の形態に於いて、前記基準パターンは、前記遠隔ユニットが制作されたとき、メモリにテンプレートとして記憶される。故に、メモリ１１２は、例えば、基準パターンを常に含んでいる。前述したように、二者択一的に、前記基準パターンはメッセージを構文解析することによって、及びエンプティゼネラルページングメッセージであるその少なくとも一部を記憶することによって記憶することができる。
【００５６】
ブロック１２６を再び参照して、スリープモード前記遠隔ユニットを指示するメッセージまたはエンプティゼネラルページングメッセージの何れかに対応する基準パターンが、例えばメモリ１１２に記憶されると、前記受信されたサンプルが前記記憶された基準パターンと比較されるブロック１３６に進む。前記コンパレータ１１０は、例えば、前記復号化されたサンプルと前記記憶された基準パターンとを比較することによってパターン相関プロセスを実行する。
【００５７】
ＩＳ−９５に従って動作する通信システムに於いて、例えば、コンパレータ１１０は、復号器１０４の出力ビットをモニタする。ＩＳ−９５は、全てのゼネラルページングメッセージの確かな基準の情報を定義する。例えば、ゼネラルページングメッセージは、以下のフィールド：Ｓｙｎｃｈｒｏｎｉｚｅｄ  Ｃａｐｓｕｌｅ  Ｉｎｄｉｃａｔｏｒ（ＳＣＩ），  ＭＳＧ  ＬＥＮＧＴＨ，  ＭＳＧＴＹＰＥ，  ＣＯＮＦＩＧ  ＭＳＧ  ＳＥＱ，  ＣＬＡＳＳ  ０  ａｎｄ  ＣＬＡＳＳ  １  ＤＯＮＥを含む。この基準情報に対応したビットパターンは、前記基準パターンとして使用することができる。前述したように、コンパレータ１１０は、例えば、前記復号器１０４の出力ビットと、前記記憶された基準パターンと比較する。前記復号器の出力が一致するか、二者択一的に、エンプティゼネラルページングメッセージに対応するこれらのフィールドの前記記憶された基準パターンと十分に同等のものであるとき、例えば、コントローラ１０８は受信されたメッセージがエンプティゼネラルページングメッセージであることを決定する。
【００５８】
ブロック１３８に於いて、例えば、前記コンパレータの出力に基づいたコントローラ１０８は、エンプティゼネラルページングメッセージに対応して復号化されたサンプルかどうかを決定する。ブロック１３４に進むと、ここで遠隔ユニットはスリープになる。この方法に於いて、前記メッセージの構文解析の広範囲な及び時間消費プロセスは回避される。
【００５９】
再びブロック１３８を参照すると、前記復号器サンプルがメモリに記憶された基準パターンと一致しなければ、ブロック１２８へ移行する。もう一度、ブロック１２８に於いて、メッセージが構文解析されて指示されると、少しでもあれば、メッセージは実行される。前述したように、ブロック１３０、１３２及び１３４に移行する。この方法に於いて、前記からのページングメッセージに対応する前記記憶された基準パターンが変化すると、前記基準パターンは結果的にアップデートされる。
【００６０】
一実施の形態に於いて、ブロック１２４、１２６、１２８及び１３６は、少なくとも一部分は同時に実行される。例えば、復号器１０４が復号化された符号を生成するように、前記コントローラは、特有の復号器サンプルがメモリ１１２に記憶されたか否かを決定することができる。前記データが復号器１０４から有効であるとされるや否や、コンパレータ１１０は受信されたサンプルと記憶された基準パターンとを比較するために開始することができる。
【００６１】
別の実施の形態に於いて、前記比較プロセスは、復号化されたサンプルの一部のみ実行される。例えば、コンパレータ１１０は、所定数の一致が検出されるまで、記憶された基準パターンと前記復号化されたサンプルとを比較することができる。前記所定数は、ノンエンプティゼネラルページングメッセージが欠けている影響が破滅的ではなければ、適正に少数となるべく選択することができる。前記所定数は、ノンエンプティゼネラルページングメッセージが欠けている影響がより厳しければ、相対的に大きな数として選択することができる。一般に、後に開発されたパターン相関技術または複数の存在は、メモリに記憶された基準パターンと受信されたサンプルとの間の一致を決定するために使用することができる。故に、例えばメモリに記憶されたエンプティメッセージのビット数は、システムの特定の目標に達するために選択することができる。
【００６２】
遠隔ユニットが移動可能であるシステムに於いて、代表的に遠隔ユニットは、種々の基地局の対象地域間を移動する遠隔ユニットのように、好ましい一連の基地局を選択する一連のハンドオフを実行する。一実施の形態に於いて、前記メモリ１１２は、マルチ基地局のためのエンプティページングメッセージを表すロウ復号器データを記憶する。前記遠隔ユニットが種々の基地局の対象地域の間を移動するように、前記コントローラは適切なデータを選択することができる。
【００６３】
多くの実施の形態に於いて、前記遠隔ユニットは、確実な不連続の時間間隔でスリープに移行することのみ可能にしている。例えば、前記ＣＤＭＡシステムに於いて、前記遠隔ユニットは、予め定められた拡散コード境界のスリープに移行することのみ可能とすることができる。例えば、ＣＤＭＡ  ＩＳ  ９５システムに於いて、各基地局は周期的なパイロット信号を送信し、各パイロット信号の周期は疑似雑音（ＰＮ）コードシーケンスのロールに対応する。前記遠隔ユニットは、前記ＰＮコードの各ロールの応答またはジェネレーションの完了でのみスリープに移行することを可能としている。このような場合に於いて、数ミリ秒によって検出時間を減少することは、エンプティゼネラルページングメッセージの検出が、すぐ後よりもむしろ予め定められた境界より前にすぐに作成することができると、それよりも速い多くのミリ秒でスリープに移行する。予め定められた境界の後すぐに作成されると、前記遠隔ユニットは次のこのような境界までスリープに移行することはできない。
【００６４】
本発明の技術は、多くの異なった動作環境に供給することができる。一般に、広範囲のメッセージ構文解析からのよりも、むしろロウ復号器出力に基づいたメッセージの検出プロセスは、メッセージの迅速な検出が重要である何れかのシステムに於いて有利とすることができる。例えば、本発明は、例え前記遠隔ユニットがスロットモードで動作しないとしても、非常事態信号の迅速な検出が必要であるシステムに於いて使用することができる。本発明は、ワイヤレスシステムでなくワイヤラインにも供給することができる。前記メッセージは、また、長いメッセージ長及びインターリービングの大きな級が使用されるシステムに於いて有利に供給することができる。
【００６５】
検索プロセス、復調エレメント割り当て及び検索エンジンに関する更なる情報を見出すことができる。
【００６６】
（１）  ＭＥＴＨＯＤ  ＡＮＤ  ＡＰＰＡＲＡＴＵＳ  ＦＯＲ  ＰＥＲＦＯＲＭＩＮＧ  ＳＥＡＲＣＨ  ＡＣＱＵＩＳＩＴＩＯＮ  ＩＮ  Ａ  ＣＤＭＡ  ＣＯＭＭＵＮＩＣＡＴＩＯＮＳ  ＳＹＳＴＥＭと題された米国特許第５，６４４，５９１。
【００６７】
（２）  ＭＥＴＨＯＤ  ＡＮＤ  ＡＰＰＡＲＡＴＵＳ  ＦＯＲ  ＰＥＲＦＯＲＭＩＮＧ  ＳＥＡＲＣＨ  ＡＣＱＵＩＳＩＴＩＯＮ  ＩＮ  Ａ  ＣＤＭＡ  ＣＯＭＭＵＮＩＣＡＴＩＯＮＳ  ＳＹＳＴＥＭと題された米国特許第５，８０５，６４８。
【００６８】
（３）  ＭＥＴＨＯＤ  ＯＦ  ＳＥＡＲＣＨＩＮＧ  ＦＯＲ  Ａ  ＢＵＲＳＴＹ  ＳＩＧＮＡＬと題された米国特許第５，８６７，５２７及び第５，７１０，７６８。
【００６９】
（４）  ＭＯＢＩＬＥ  ＤＥＭＯＤＵＬＡＴＯＲ  ＡＲＣＨＩＴＥＣＴＵＲＥ  ＦＯＲ  Ａ  ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮ  ＳＹＳＴＥＭと題された米国特許第５，７６４，６８７。
【００７０】
（５）  ＰＩＬＯＴ  ＳＩＧＮＡＬ  ＳＥＡＲＣＨＩＮＧ  ＴＥＣＨＮＩＱＵＥ  ＦＯＲ  Ａ  ＣＥＬＬＵＬＡＲ  ＣＯＭＭＵＮＩＣＡＴＩＯＮＳ  ＳＹＳＴＥＭと題された米国特許第５，５７７，０２２。
【００７１】
（６）  ＣＥＬＬ  ＳＩＴＥ  ＤＥＭＯＤＵＬＡＴＩＯＮ  ＡＲＣＨＩＴＥＣＴＵＲＥ  ＦＯＲ  Ａ  ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮＳ  ＳＹＳＴＥＭと題された米国特許第５，６５４，９７９。
【００７２】
（７）  １９９７年１２月９日にファイルされた、ＭＵＬＴＩ  ＣＨＡＮＮＥＬ  ＤＥＭＯＤＵＬＡＴＯＲと題された出願番号０８／９８７，１７２。
【００７３】
（８）  １９９９年３月３１日にファイルされた、ＰＲＯＧＲＡＭＭＡＢＬＥ  ＭＡＴＣＨＥＤ  ＦＩＬＴＥＲ  ＳＥＡＲＣＨＥＲと題された出願番号０９／２８３，０１０。
【００７４】
その全体に於いて、その各々は譲受人により譲り受けられ、参考文献によりここに合同される。
【００７５】
以下の説明は、本発明の特定の実施の形態を詳述したものである。しかしながら、どんなに詳細に前述の記述があっても、本発明は本質的な特徴またはその精神から逸脱することなく他の特定の形態に於いて実施することができることが理解されるものである。詳述した実施の形態は図示されたもののみに全ての点で考えられるべきものであり、制限されないものであり、発明の範囲は、それ故、前述の説明によって、むしろ添付の特許請求の範囲により指示されたものである。全ての変更は、それらの範囲内に採用されるべく特許請求の範囲と同等の範囲及び意味にて生じる。
【図面の簡単な説明】
本発明の特徴、目的及び利益が、全体に渡って相応して識別するために参照文字に適した図面に関連して得られる以下に示される詳細な説明から、より明らかにされる。
【図１】  図１は、代表的な現代のワイヤレス通信システムを示した代表線図である。
【図２】  図２は、単一の基地局から遠隔ユニットに到着したパイロット信号のマルチ信号例の典型的なセットを示したグラフである。
【図３】  図３は、複数の基地局から遠隔ユニットに着信したパイロット信号のマルチ信号例の典型的なセットを示したグラフである。
【図４】  図４は、ゼネラルページングメッセージを受信するために使用された遠隔ユニットの一部を示したブロック図である。
【図５】  図５は、本発明の一実施の形態のブロック図であり、ゼネラルページングメッセージがエンプティの場合を検出すると共に、ゼネラルページングメッセージを受信するために使用された遠隔ユニットの一部を示した図である。
【図６】  図６は、エンプティゼネラルページングメッセージの検出を示した本発明の一実施の形態のフローチャートである。
【符号の説明】
１０Ａ  車、
１０Ｂ  ポータブルコンピュータ遠隔、
１０Ｃ  固定局ユニット、
１２  基地局、
１４  フォワードリンク、
１６  リバースリンク、
１００  受信器、
１０２  デインターリーバ、
１０４  復号器、
１０６  メッセージ解析器、
１０８  コントローラ、
１１０  コンパレータ、
１１２  メモリ、
１１８  検索エンジン、
１２０  検索リスト、
１２２  データ配列。
【図１】
0005043270.tif 000002
【図２】
0005043270.tif 000003
【図３】
0005043270.tif 000004
【図４】
0005043270.tif 000005
【図５】
0005043270.tif 000006
【図６】
0005043270.tif 000007